(57)【特許請求の範囲】
【請求項１】
つけ爪を爪に装着するための薄肉装着領域を有する装着部と、
前記装着部の先端側に位置し、ほぼ全領域が凸レンズからなるレンズ部とを備えることを特徴とするつけ爪。
【請求項２】
請求項１に記載のつけ爪において、
前記装着部及び前記レンズ部は、一体として形成され、
前記装着部の表面と前記レンズ部の表面とは幾何学的に連続していることを特徴とするつけ爪。
【請求項３】
請求項１に記載のつけ爪において、
前記装着部及び前記レンズ部は、別体として形成され、
前記レンズ部は、前記装着部側に位置する薄肉接合部を有し、
前記レンズ部は、前記薄肉接合部を介して前記装着部に接合されていることを特徴とするつけ爪。
【請求項４】
請求項１に記載のつけ爪において、
前記装着部及び前記レンズ部は、別体として形成され、
前記装着部は、前記レンズ部に対向する第１対向面と、前記第１対向面に形成された少なくとも２つの第１孔をさらに有し、
前記レンズ部は、前記装着部に対向する第２対向面と、前記第２対向面に形成された少なくとも２つの第２孔をさらに有し、
前記装着部と前記レンズ部とは、複数のコイルバネを前記第１孔及び前記第２孔の中に挿入した状態で前記装着部及び前記レンズ部に接着固定することにより接合されていることを特徴とするつけ爪。
【請求項５】
請求項２〜４のいずれかに記載のつけ爪において、
前記凸レンズは、前記レンズ部における前記装着部側から前記装着部とは反対側に向かって肉厚が徐々に薄くなるような構造を有するメニスカスレンズであることを特徴とするつけ爪。
【請求項６】
請求項１に記載のつけ爪において、
前記装着部及び前記レンズ部は、別体として形成され、
前記装着部における前記レンズ部に近接する部分には、表面と裏面とを貫通する１つの第１貫通孔が形成されており、
前記レンズ部における前記装着部に近接する部分には、表面と裏面とを貫通する１つの第２貫通孔が形成されており、
前記装着部と前記レンズ部とは、１組のボルト及びナットを用いて前記第１貫通孔及び前記第２貫通孔を介して前記装着部及び前記レンズ部を締め付けることにより接合されていることを特徴とするつけ爪。
【請求項７】
請求項６に記載のつけ爪において、
前記ボルトは、ボルト本体の頭部に装飾部材が埋め込まれた構造を有することを特徴とするつけ爪。
【請求項８】
請求項１に記載のつけ爪において、
前記装着部及び前記レンズ部は、一体として形成され、
前記凸レンズは、前記レンズ部の裏面側に格子が形成されたグレーティングレンズであることを特徴とするつけ爪。
【請求項９】
請求項１〜８のいずれかに記載のつけ爪において、
前記薄肉装着領域の裏面は、爪の表面形状に対応する形状を有することを特徴とするつけ爪。
【請求項１０】
請求項１〜９のいずれかに記載のつけ爪において、
前記レンズ部は、屈折率が１．６０以上の樹脂材料からなることを特徴とするつけ爪。
【請求項１１】
請求項１〜１０のいずれかに記載のつけ爪において、
前記レンズ部の表面には、減反射コーティングが施されていることを特徴とするつけ爪。
【請求項１２】
請求項１〜１１のいずれかに記載のつけ爪において、
前記レンズ部の表面には、ハードコーティングが施されていることを特徴とするつけ爪。
【請求項１３】
請求項１〜１２のいずれかに記載のつけ爪において、
前記レンズ部の表面には、撥水処理又は親水処理が施されていることを特徴とするつけ爪。
【請求項１４】
請求項１〜１３のいずれかに記載のつけ爪において、
前記装着部及び／又は前記レンズ部には、宝石が埋め込まれていることを特徴とするつけ爪。
【請求項１５】
請求項１〜１４のいずれかに記載のつけ爪において、
前記装着部及び／又は前記レンズ部には、色つけ処理が施されていることを特徴とするつけ爪。
【発明の詳細な説明】
【技術分野】
【０００１】
本発明は、つけ爪に関する。
【背景技術】
【０００２】
従来より、拡大レンズとして用いることが可能なつけ爪が知られている（例えば、特許文献１及び２参照。）。
図１１は、特許文献１に記載されたつけ爪８００を説明するために示す図である。図１２は、特許文献２に記載されたつけ爪９００を説明するために示す図である。
【０００３】
特許文献１に記載されたつけ爪８００においては、図１１に示すように、つけ爪８００自体がルーペ状の光学的な物体として形成されている。このため、つけ爪８００を拡大レンズ（読書用ルーペ又は拡大鏡）として用いることが可能となる。
【０００４】
特許文献２に記載されたつけ爪９００においては、図１２に示すように、つけ爪９００の先端部に小さな孔９０２を設け当該小さな孔９０２の中に虫めがね９０４が嵌め込まれた構造を有する。このため、つけ爪９００を拡大レンズとして用いることが可能となる。
【０００５】
【特許文献１】実開昭６３−１６０７０９号
【特許文献２】特表平５−５００３２１号
【発明の開示】
【発明が解決しようとする課題】
【０００６】
しかしながら、特許文献１に記載のつけ爪８００においては、つけ爪８００自体がルーペ状の光学的な物体として形成されているため、所定のレンズ効果を得るにはつけ爪全体の厚みをかなり厚くする必要があり、重量が重くなって使用感が低下したり、装飾的に好ましくなかったりするという問題がある。
【０００７】
また、特許文献２に記載のつけ爪９００においては、つけ爪９００の先端部に設けられた小さな孔９０２の中に虫めがね９０４が嵌め込まれた構造を有するため、レンズ効果を得ることのできる領域が狭く、実際上文字を拡大して読む際に読み難いという問題がある。
【０００８】
そこで、本発明は、このような問題を解決するためになされたもので、拡大レンズとして用いることが可能なつけ爪でありながら、つけ爪全体の厚みを従来よりも薄くすることが可能で、かつ、レンズ効果を得ることのできる領域を従来よりも広くすることが可能なつけ爪を提供することを目的とする。
【課題を解決するための手段】
【０００９】
（１）本発明のつけ爪は、つけ爪を爪に装着するための薄肉装着領域を有する装着部と、前記装着部の先端側に位置し、ほぼ全領域が凸レンズからなるレンズ部とを備えることを特徴とする。
【００１０】
このため、本発明のつけ爪によれば、装着部の先端側にほぼ全領域が凸レンズからなるレンズ部を備えるため、拡大レンズとして用いることが可能なつけ爪となる。また、本発明のつけ爪によれば、特許文献１の場合は異なり、装着部にレンズ機能をもたせることが不要となるため、装着部を従来よりも薄くすることが可能となり、つけ爪全体の厚みを従来よりも薄くすることが可能となる。さらにまた、本発明のつけ爪によれば、レンズ部のほぼ全領域が凸レンズからなるため、レンズ効果を得ることのできる領域を従来よりも広くすることが可能となる。
その結果、本発明のつけ爪は、拡大レンズとして用いることが可能なつけ爪でありながら、つけ爪全体の厚みを従来よりも薄くすることが可能で、かつ、レンズ効果を得ることのできる領域を従来よりも広くすることが可能なつけ爪となる。
【００１１】
なお、本発明のつけ爪において、レンズ効果を得ることのできる領域を従来よりも広くする観点からは、レンズ部の表面積における６０％以上が凸レンズからなることが好ましく、８０％以上が凸レンズからなることがより好ましく、９０％以上が凸レンズからなることがさらに好ましい。
【００１２】
（２）本発明のつけ爪においては、前記装着部及び前記レンズ部は、一体として形成され、前記装着部の表面と前記レンズ部の表面とは幾何学的に連続していることが好ましい。
【００１３】
このように構成することにより、装着部とレンズ部とが一体として形成されているため、また、装着部の表面とレンズ部の表面とが幾何学的に連続しているため、装着部とレンズ部との境界部分が目立ち難く、意匠的にもすっきりとしたつけ爪となる。
【００１４】
ところで、本発明のつけ爪においては、レンズ部のほぼ全領域が凸レンズからなるため、レンズ部が装着部よりも厚くなる傾向にある。しかしながら、上記のように構成することにより、レンズ部の厚み部分をつけ爪の裏面側にもってくることにより、見た目も厚ぼったくならず、この点からも意匠的にすっきりとしたつけ爪となる。
【００１５】
（３）本発明のつけ爪においては、前記装着部及び前記レンズ部は、別体として形成され、前記レンズ部は、前記装着部側に位置する薄肉接合部を有し、前記レンズ部は、前記薄肉接合部を介して前記装着部に接合されていることが好ましい。
【００１６】
このように構成することにより、装着部とレンズ部とを別に製造しておき、後からレンズ部を装着部に接合することによってつけ爪を製造することが可能となるため、装着部とレンズ部とを製造する際における材料の選択範囲が広がる。また、製造コストを低減することも可能となる。
【００１７】
なお、この場合においても、レンズ部の厚み部分をつけ爪の裏面側にもってくることにより、見た目も厚ぼったくならず、意匠的にすっきりとしたつけ爪となる。
【００１８】
（４）本発明のつけ爪においては、前記装着部及び前記レンズ部は、別体として形成され、前記装着部は、前記レンズ部に対向する第１対向面と、前記第１対向面に形成された少なくとも２つの第１孔をさらに有し、前記レンズ部は、前記装着部に対向する第２対向面と、前記第２対向面に形成された少なくとも２つの第２孔をさらに有し、前記装着部と前記レンズ部とは、複数のコイルバネを前記第１孔及び前記第２孔の中に挿入した状態で前記装着部及び前記レンズ部に接着固定することにより接合されていることが好ましい。
【００１９】
このように構成することにより、装着部とレンズ部との間にクリアランスを設けることができるため、つけ爪を使用中につけ爪が何かに当たったとしても、つけ爪が爪から剥がれたりつけ爪が破損したりすることがなくなる。
【００２０】
（５）本発明のつけ爪においては、前記凸レンズは、前記レンズ部における前記装着部側から前記装着部とは反対側に向かって肉厚が徐々に薄くなるような構造を有するメニスカスレンズであることが好ましい。
【００２１】
上記のように構成することにより、つけ爪の先端に向かうほどレンズ部の厚さが薄くなるような、意匠的にもすっきりとしたつけ爪とすることが可能となる。
【００２２】
（６）本発明のつけ爪においては、前記装着部及び前記レンズ部は、別体として形成され、前記装着部における前記レンズ部に近接する部分には、表面と裏面とを貫通する１つの第１貫通孔が形成されており、前記レンズ部における前記装着部に近接する部分には、表面と裏面とを貫通する１つの第２貫通孔が形成されており、前記装着部と前記レンズ部とは、１組のボルト及びナットを用いて前記第１貫通孔及び前記第２貫通孔を介して前記装着部及び前記レンズ部を締め付けることにより接合されていることが好ましい。
【００２３】
このように構成することにより、装着部に対してレンズ部を回転させることが可能となるため、つけ爪を拡大レンズとして使用しないときにレンズ部を装着部側に回転させることにより、つけ爪としての占有面積を小さくして使用感を向上させることが可能となる。
【００２４】
（７）本発明のつけ爪においては、前記ボルトは、ボルト本体の頭部に装飾部材が埋め込まれた構造を有することが好ましい。
【００２５】
このように構成することにより、１組のボルト及びナットの存在を意識させないようにすることが可能となり、さらには、つけ爪の装飾的効果を高くすることが可能となる。
【００２６】
（８）本発明のつけ爪においては、前記装着部及び前記レンズ部は、一体として形成され、前記凸レンズは、前記レンズ部の裏面側に格子が形成されたグレーティングレンズであることが好ましい。
【００２７】
このように構成することにより、所定のレンズ効果を維持しつつ、レンズ部の厚さを大幅に薄くすることが可能となるため、意匠的にすっきりとしたつけ爪とすることが可能となる。また、レンズ部の重量を軽くすることが可能となるため、つけ爪の軽量化を図ることが可能となり、使用感を向上させることが可能となる。
【００２８】
（９）本発明のつけ爪においては、前記薄肉装着領域の裏面は、爪の表面形状に対応する形状を有することが好ましい。
【００２９】
このように構成することにより、爪への装着性に優れたつけ爪とすることが可能となる。
【００３０】
（１０）本発明のつけ爪においては、前記レンズ部は、屈折率が１．６０以上の樹脂材料からなることが好ましい。
【００３１】
このように構成することにより、所定のレンズ効果を維持しつつレンズの曲率を小さくすることが可能となるため、レンズ部を薄くすることが可能となる。また、その結果として、意匠的にもすっきりとしたつけ爪とすることが可能となる。
【００３２】
（１１）本発明のつけ爪においては、前記レンズ部の表面には、減反射コーティングが施されていることが好ましい。
【００３３】
このように構成することにより、レンズ部の表面での反射率を低減することが可能となり、つけ爪を拡大レンズとして用いる際の視認性を高くすることが可能となる。
この観点から言えば、前記レンズ部の裏面にも、減反射コーティングが施されていることが好ましい。
【００３４】
（１２）本発明のつけ爪においては、前記レンズ部の表面には、ハードコーティングが施されていることが好ましい。
【００３５】
このように構成することにより、レンズ部の表面で傷が付き難くなるため、つけ爪を長期間使用した場合にも拡大レンズとしての性能が劣化し難いつけ爪とすることが可能となる。
この観点から言えば、前記レンズ部の裏面にも、ハードコーティングが施されていることが好ましい。
【００３６】
（１３）本発明のつけ爪においては、前記レンズ部の表面には、撥水処理又は親水処理が施されていることが好ましい。
【００３７】
撥水処理が施されている場合には、水が付着し難くなるため、水が付着することによって視認性が劣化することを抑制することが可能となる。
また、親水処理が施されている場合には、水が付着してもすぐに表面全体に拡がるため、やはり、水が付着することによって視認性が劣化することを抑制することが可能となる。
この観点から言えば、前記レンズ部の裏面にも、撥水処理又は親水処理が施されていることが好ましい。
【００３８】
（１４）本発明のつけ爪においては、前記装着部及び／又は前記レンズ部には、装飾部材が埋め込まれていることが好ましい。
【００３９】
このように構成することにより、つけ爪の装飾的価値を高くすることが可能となる。
この場合、装飾部材がレンズ部に埋め込まれる場合には、拡大レンズとしての視認性を劣化させないという観点からは、装飾部材がレンズ部の周辺部に埋め込まれていることが好ましい。装飾部材としては、宝石やガラス玉を好ましく例示することができる。
【００４０】
（１５）本発明のつけ爪においては、前記装着部及び／又は前記レンズ部には、色つけ処理が施されていることが好ましい。
【００４１】
このように構成することにより、つけ爪の装飾的効果を高くすることが可能となる。
なお、レンズ部に色つけ処理が施されている場合には、拡大レンズとしての視認性を劣化させないという観点からは、淡い色つけ処理が施されていることが好ましい。
【発明を実施するための最良の形態】
【００４２】
以下、本発明のつけ爪について、図に示す実施の形態に基づいて説明する。
【００４３】
［実施形態１］
図１は、実施形態１に係るつけ爪１００を説明するために示す図である。図１（ａ）はつけ爪１００の斜視図であり、図１（ｂ）はつけ爪１００の断面図であり、図１（ｃ）はつけ爪１００を爪ｎに装着したときの断面図である。
図２は、実施形態１に係るつけ爪１００の製造方法を説明するために示す図である。図２（ａ）〜図２（ｃ）は各工程図である。
【００４４】
実施形態１に係るつけ爪１００は、図１に示すように、つけ爪を爪ｎに装着するための薄肉装着領域１１２を有する装着部１１０と、装着部１１０の先端側に位置し、ほぼ全領域が凸レンズ１２２からなるレンズ部１２０とを備える。
【００４５】
なお、実施形態１に係るつけ爪１００においては、レンズ効果を得ることのできる領域を従来よりも広くする観点から、レンズ部１２０の表面積における９０％以上が凸レンズ１２２からなるものとしている。
【００４６】
実施形態１に係るつけ爪１００においては、図１（ｂ）に示すように、装着部１１０及びレンズ部１２０は、一体として形成され、装着部１１０の表面１１０ａとレンズ部１２０の表面１２０ａとは幾何学的に連続している。
【００４７】
実施形態１に係るつけ爪１００においては、凸レンズ１２２は、レンズ部１２０における装着部１１０側（段差部１２４側）から装着部１１０とは反対側（先端部１２６側）に向かって肉厚が徐々に薄くなるような構造を有するメニスカスレンズである。
【００４８】
実施形態１に係るつけ爪１００においては、薄肉装着領域１１２の裏面は、爪ｎの表面形状に対応する形状を有する。
【００４９】
実施形態１に係るつけ爪１００においては、レンズ部１２０は、屈折率が１．６０以上の樹脂材料からなる。
【００５０】
実施形態１に係るつけ爪１００においては、レンズ部１２０の表面１２０ａには、減反射コーティング、ハードコーティング及び撥水処理が施されている。
【００５１】
実施形態１に係るつけ爪１００は、例えば、一方側から他方側に向かって肉厚が徐々に薄くなるような構造を有するメニスカスレンズ１３０を準備する第１工程（図２（ａ）参照。）と、メニスカスレンズ１３０における一方側の所定領域１３２について研削・研磨を行って、薄肉装着領域１１２を形成する第２工程（図２（ｂ）及び図２（ｃ）参照。）とをこの順序で実施することにより製造することができる。
【００５２】
実施形態１に係るつけ爪１００によれば、装着部１１０の先端側にほぼ全領域が凸レンズ１２２からなるレンズ部１２０を備えるため、拡大レンズとして用いることが可能なつけ爪となる。また、実施形態１に係るつけ爪によれば、特許文献１の場合は異なり、装着部１１０にレンズ機能をもたせることが不要となるため、装着部１１０を従来よりも薄くすることが可能となり、つけ爪１００全体の厚みを従来よりも薄くすることが可能となる。さらにまた、実施形態１に係るつけ爪１００によれば、レンズ部１２０のほぼ全領域が凸レンズ１２２からなるため、レンズ効果を得ることのできる領域を従来よりも広くすることが可能となる。
その結果、実施形態１に係るつけ爪１００は、拡大レンズとして用いることが可能なつけ爪でありながら、つけ爪全体の厚みを従来よりも薄くすることが可能で、かつ、レンズ効果を得ることのできる領域を従来よりも広くすることが可能なつけ爪となる。
【００５３】
また、実施形態１に係るつけ爪１００によれば、装着部１１０及びレンズ部１２０が一体として形成されているため、また、装着部１１０の表面１１０ａとレンズ部１２０の表面１２０ａとが幾何学的に連続しているため、装着部１１０とレンズ部１２０との境界部分が目立ち難く、意匠的にもすっきりとしたつけ爪となる。
【００５４】
また、実施形態１に係るつけ爪１００によれば、レンズ部１２０の厚み部分をつけ爪１００の裏面側にもってくることにより、見た目も厚ぼったくならず、この点からも意匠的にすっきりとしたつけ爪となる。
【００５５】
また、実施形態１に係るつけ爪１００によれば、凸レンズ１２２が上記した構造を有するメニスカスレンズであるため、つけ爪の先端に向かうほどレンズ部１２０の厚さが薄くなるような、意匠的にもすっきりとしたつけ爪となる。
【００５６】
また、実施形態１に係るつけ爪１００によれば、薄肉装着領域１１２の裏面は、爪ｎの表面形状に対応する形状を有するため、爪ｎへの装着性に優れたつけ爪となる。
【００５７】
また、実施形態１に係るつけ爪１００によれば、レンズ部１２０は、屈折率が１．６０以上の樹脂材料からなるため、所定のレンズ効果を維持しつつレンズの曲率を小さくすることが可能となり、レンズ部１２０を薄くすることが可能となる。また、その結果として、意匠的にもすっきりとしたつけ爪となる。
【００５８】
また、実施形態１に係るつけ爪１００によれば、レンズ部１２０の表面１２０ａには、減反射コーティングが施されているため、レンズ部１２０の表面１２０ａでの反射率を低減することが可能となり、つけ爪を拡大レンズとして用いる際の視認性を高くすることが可能となる。
【００５９】
また、実施形態１に係るつけ爪１００によれば、レンズ部１２０の表面１２０ａには、ハードコーティングが施されているため、レンズ部１２０の表面で傷が付き難くなり、つけ爪を長期間使用した場合にも拡大レンズとしての性能が劣化し難いつけ爪となる。
【００６０】
また、実施形態１に係るつけ爪１００によれば、レンズ部１２０の表面１２０ａには、撥水処理が施されているため、水が付着し難くなり、水が付着することによって視認性が劣化することを抑制することが可能となる。
【００６１】
［実施形態２］
図３は、実施形態２に係るつけ爪２００を説明するために示す図である。図３（ａ）はつけ爪２００の斜視図であり、図３（ｂ）はつけ爪２００の断面図であり、図３（ｃ）はつけ爪２００を爪ｎに装着したときの断面図である。
図４は、実施形態２に係るつけ爪２００の製造方法を説明するために示す図である。図４（ａ）〜図４（ｄ）は各工程図である。
【００６２】
実施形態２に係るつけ爪２００は、基本的には実施形態１に係るつけ爪１００とよく似た構成を有するが、図３に示すように、装着部２１０及びレンズ部２２０が別体として形成されている点並びにレンズ部２２０が薄肉接合部２２８を介して装着部２１０に接合されている点で、実施形態１に係るつけ爪１００とは異なる。
【００６３】
実施形態２に係るつけ爪２００は、例えば、一方側から他方側に向かって肉厚が徐々に薄くなるような構造を有するメニスカスレンズ２３０（後にレンズ部２２０となる部材である。）及び薄肉装着領域２１２を有する装着部２１０を準備する第１工程（図４（ａ）参照。）と、メニスカスレンズ２３０における一方側の所定領域２３２について研削・研磨を行って、薄肉接合部２２８を形成してレンズ部２２０とする第２工程（図４（ｂ）及び図４（ｃ）参照。）と、接着剤を用いてレンズ部２２０を装着部２１０に接合する第３工程（図４（ｄ）参照。）とをこの順序で実施することにより製造することができる。
【００６４】
このように、実施形態２に係るつけ爪２００は、装着部２１０及びレンズ部２２０が別体として形成されている点並びにレンズ部２２０が薄肉接合部２２８を介して装着部２１０に接合されている点で、実施形態１に係るつけ爪１００とは異なるが、つけ爪を爪に装着するための薄肉装着領域２１２を有する装着部２１０と、装着部２１０の先端側に位置し、ほぼ全領域が凸レンズ２２２からなるレンズ部２２０とを備えるため、実施形態１に係るつけ爪１００の場合と同様に、拡大レンズとして用いることが可能なつけ爪でありながら、つけ爪全体の厚みを従来よりも薄くすることが可能で、かつ、レンズ効果を得ることのできる領域を従来処理も広くすることが可能なつけ爪となる。
【００６５】
また、実施形態２に係るつけ爪２００によれば、装着部２１０及びレンズ部２２０が別体として形成されているため、装着部２１０とレンズ部２２０とを別に製造しておき、後からレンズ部２２０を装着部２１０に接合することによってつけ爪を製造することが可能となり、装着部２１０とレンズ部２２０とを製造する際における材料の選択範囲が広がる。また、製造コストを低減することも可能となる。
【００６６】
また、実施形態２に係るつけ爪２００によれば、レンズ部２２０の厚み部分（例えば段差部２２４）をつけ爪の裏面側にもってくることにより、見た目も厚ぼったくならず、意匠的にすっきりとしたつけ爪となる。
【００６７】
なお、実施形態２に係るつけ爪２００は、装着部２１０及びレンズ部２２０が別体として形成されている点並びにレンズ部２２０が薄肉接合部２２８を介して装着部２１０に接合されている点以外の点については、実施形態１に係るつけ爪１００と同様の構成を有するため、実施形態１に係るつけ爪１００が有する効果のうち該当する効果を有する。
【００６８】
［実施形態３］
図５は、実施形態３に係るつけ爪３００を説明するために示す図である。図５（ａ）はつけ爪３００の斜視図であり、図５（ｂ）はつけ爪３００の分解斜視図であり、図５（ｃ）はつけ爪３００を爪ｎに装着したときの断面図である。
図６は、実施形態３に係るつけ爪３００の製造方法を説明するために示す図である。図６（ａ）〜図６（ｅ）は各工程図である。
【００６９】
実施形態３に係るつけ爪３００は、基本的には実施形態１に係るつけ爪１００とよく似た構成を有するが、図５に示すように、装着部３１０及びレンズ部３２０が別体として形成されている点並びに装着部３１０とレンズ部３２０とがコイルバネ３３０を用いて接合されている点で、実施形態１に係るつけ爪１００とは異なる。
すなわち、実施形態３に係るつけ爪３００においては、図５に示すように、装着部３１０及びレンズ部３２０は、別体として形成され、装着部３１０はレンズ部３２０に対向する第１対向面３１４と、第１対向面３１４に形成された３つの第１孔３１６をさらに有し、レンズ部３２０は装着部３１０に対向する第２対向面３２４と、第２対向面３２４に形成された３つの第２孔３２６をさらに有し、装着部３１０とレンズ部３２０とは、３つのコイルバネ３３０を第１孔３１６及び第２孔３２６の中に挿入した状態で装着部３１０及びレンズ部３２０に接着固定することにより接合されている。
【００７０】
実施形態３に係るつけ爪３００は、例えば、一方側から他方側に向かって肉厚が徐々に薄くなるような構造を有するメニスカスレンズ３４０を準備する第１工程（図６（ａ）参照。）と、メニスカスレンズ３４０における一方側の所定領域３４２について研削・研磨を行って、メニスカスレンズ３４０に薄肉装着領域３１２を形成する第２工程（図６（ｂ）参照。）と、メニスカスレンズ３４０を２つに切断して、装着部３１０及びレンズ部３２０を形成する第３工程（図６（ｃ）参照。）と、装着部３１０の第１対向面３１４に３つの第１孔３１６を形成し、レンズ部３２０の第２対向面３２４に３つの第２孔３２６を形成する第４工程（図６（ｄ）参照。）と、３つのコイルバネ３３０を第１孔３１６及び第２孔３２６の中に挿入した状態で装着部３１０及びレンズ部３２０に接着固定することにより装着部３１０とレンズ部３２０とを接合する第５工程（図６（ｅ）参照。）とをこの順序で実施することにより製造することができる。
【００７１】
このように、実施形態３に係るつけ爪３００は、装着部３１０及びレンズ部３２０が別体として形成されている点並びに装着部３１０とレンズ部３２０とがコイルバネ３３０を用いて接合されている点で、実施形態１に係るつけ爪１００とは異なるが、つけ爪を爪に装着するための薄肉装着領域３１２を有する装着部３１０と、装着部３１０の先端側に位置し、ほぼ全領域が凸レンズ３２２からなるレンズ部３２０とを備えるため、実施形態１に係るつけ爪１００の場合と同様に、拡大レンズとして用いることが可能なつけ爪でありながら、つけ爪全体の厚みを従来よりも薄くすることが可能で、かつ、レンズ効果を得ることのできる領域を従来よりも広くすることが可能なつけ爪となる。
【００７２】
また、実施形態３に係るつけ爪３００によれば、装着部３１０とレンズ部３２０との間にクリアランスを設けることができるため、つけ爪を使用中ににつけ爪が何かに当たったとしても、つけ爪が爪から剥がれたりつけ爪が破損したりすることがなくなる。
【００７３】
なお、実施形態３に係るつけ爪３００は、装着部３１０及びレンズ部３２０が別体として形成されている点並びに装着部３１０とレンズ部３２０とがコイルバネ３３０を用いて接合されている点以外の点については、実施形態１に係るつけ爪１００と同様の構成を有するため、実施形態１に係るつけ爪１００が有する効果のうち該当する効果を有する。
【００７４】
［実施形態４］
図７は、実施形態４に係るつけ爪４００を説明するために示す図である。図７（ａ）はつけ爪４００の斜視図であり、図７（ｂ）及び図７（ｃ）はつけ爪４００の断面図であり、図７（ｄ）はつけ爪４００を爪ｎに装着したときの断面図である。なお、図７（ｂ）はレンズ部４２０を伸ばしたときの断面図であり、図７（ｃ）はレンズ部４２０を畳んだときの断面図である。
図８は、実施形態４に係るつけ爪４００の製造方法を説明するために示す図である。図８（ａ）〜図８（ｃ）は各工程図である。
【００７５】
実施形態４に係るつけ爪４００は、基本的には実施形態１に係るつけ爪１００とよく似た構成を有するが、図７に示すように、装着部４１０及びレンズ部４２０が別体として形成されている点並びに装着部４１０とレンズ部４２０とが１組のボルト４３０及びナット４３６を用いて接合されている点で、実施形態１に係るつけ爪１００とは異なる。
すなわち、実施形態４に係るつけ爪４００においては、図７に示すように、装着部４１０及びレンズ部４２０は、別体として形成され、装着部４１０におけるレンズ部４２０に近接する部分には第１貫通孔４１８が形成されており、レンズ部４２０における装着部４１０に近接する部分には第２貫通孔４２８が形成されており、装着部４１０とレンズ部４２０とは、１組のボルト４３０及びナット４３６を用いて第１貫通孔４１８及び第２貫通孔４２８を介して装着部４１０及びレンズ部４２０を締め付けることにより接合されている。なお、ボルト４３０は、ボルト本体４３２の頭部に装飾部材としての宝石４３４が埋め込まれた構造を有する。レンズ部４２０の外周部には４個の宝石４３８が埋め込まれている。
【００７６】
実施形態４に係るつけ爪４００は、例えば、一方側から他方側に向かって肉厚が徐々に薄くなるような構造を有するメニスカスレンズ構造の凸レンズ４２２を有するレンズ部４２０と、つけ爪を爪に装着するための薄肉装着領域４１２を有する装着部４１０とを準備する第１工程（図８（ａ）参照。）と、装着部４１０に第１貫通孔４１８を形成し、レンズ部４２０に第２貫通孔４２８を形成する第２工程（図８（ｂ）参照。）と、１組のボルト４３０及びナット４３６を用いて、装着部４１０とレンズ部４２０とを接合する第３工程（図８（ｃ）参照。）とをこの順序で実施することにより製造することができる。
【００７７】
このように、実施形態４に係るつけ爪４００は、装着部４１０及びレンズ部４２０が別体として形成されている点並びに装着部４１０とレンズ部４２０とが１組のボルト４３０及びナット４３６を用いて接合されている点で、実施形態１に係るつけ爪１００とは異なるが、つけ爪を爪に装着するための薄肉装着領域４１２を有する装着部４１０と、装着部４１０の先端側に位置し、ほぼ全領域が凸レンズ４２２からなるレンズ部４２０とを備えるため、実施形態１に係るつけ爪１００の場合と同様に、拡大レンズとして用いることが可能なつけ爪でありながら、つけ爪全体の厚みを従来よりも薄くすることが可能で、かつ、レンズ効果を得ることのできる領域を従来よりも広くすることが可能なつけ爪となる。
【００７８】
また、実施形態４に係るつけ爪４００によれば、装着部４１０とレンズ部４２０とが１組のボルト４３０及びナット４３６を用いて接合されているため、装着部４１０に対してレンズ部４２０を回転させることが可能となり、つけ爪を拡大レンズとして使用しないときにレンズ部４２０を装着部４１０側に回転させることにより、つけ爪としての占有面積を小さくして使用感を向上させることが可能となる。
【００７９】
また、実施形態４につけ爪４００によれば、ボルト４３０の頭部には宝石４３４が埋め込まれているため、ボルト４３０及びナット４３６の存在を意識させないようにすることが可能となり、さらには、つけ爪の装飾的効果を高くすることが可能となる。
【００８０】
また、実施形態４につけ爪４００によれば、レンズ部４２０には宝石４３８が埋め込まれているため、つけ爪の装飾的価値を高くすることが可能となる。
【００８１】
なお、実施形態４に係るつけ爪４００は、装着部４１０及びレンズ部４２０が別体として形成されている点並びに装着部４１０とレンズ部４２０とが１組のボルト４３０及びナット４３６を用いて接合されている点以外の点については、実施形態１に係るつけ爪１００と同様の構成を有するため、実施形態１に係るつけ爪１００が有する効果のうち該当する効果を有する。
【００８２】
［実施形態５］
図９は、実施形態５に係るつけ爪５００を説明するために示す図である。図９（ａ）はつけ爪５００の斜視図であり、図９（ｂ）はつけ爪５００の断面図であり、図９（ｃ）はつけ爪５００を爪ｎに装着したときの断面図である。
図１０は、実施形態５に係るつけ爪５００の製造方法を説明するために示す図である。図１０（ａ）及び図１０（ｂ）は各工程を示す斜視図である。
【００８３】
実施形態５に係るつけ爪５００は、基本的には実施形態１に係るつけ爪１００とよく似た構成を有するが、図９に示すように、凸レンズの構成が実施形態１に係るつけ爪１００の場合とは異なる。
すなわち、実施形態５に係るつけ爪５００においては、凸レンズ５２２は、レンズ部５２０の裏面側に格子が形成されたグレーティングレンズである。
【００８４】
実施形態５に係るつけ爪５００は、例えば、裏面にグレーティングレンズが形成された１枚の樹脂基板５３０を準備する第１工程（図１０（ａ）参照。）と、樹脂基板５３０を爪の形状に合わせて熱変形させる第２工程（図１０（ｂ）参照。）とをこの順序で実施することにより製造することができる。
【００８５】
このように、実施形態５に係るつけ爪５００は、凸レンズの構成が実施形態１に係るつけ爪１００の場合とは異なるが、実施形態１に係るつけ爪１００の場合と同様に、つけ爪を爪に装着するための薄肉装着領域５１２を有する装着部５１０（この場合、装着部５１０の全領域が薄肉装着領域５１２である。）と、装着部５１０の先端側に位置し、ほぼ全領域が凸レンズ５２２からなるレンズ部５２０とを備えるため、拡大レンズとして用いることが可能なつけ爪でありながら、つけ爪全体の厚みを従来よりも薄くすることが可能で、かつ、レンズ効果を得ることのできる領域を従来よりも広くすることが可能なつけ爪となる。
【００８６】
また、実施形態５に係るつけ爪５００によれば、凸レンズ５２２がレンズ部５２０の裏面側に格子が形成されたグレーティングレンズであるため、所定のレンズ効果を維持しつつ、レンズ部の厚さを大幅に薄くすることが可能となり、意匠的にすっきりとしたつけ爪とすることが可能となる。また、レンズ部の重量を軽くすることが可能となるため、つけ爪の軽量化を図ることが可能となり、使用感を向上させることが可能となる。
【００８７】
なお、実施形態５に係るつけ爪５００は、凸レンズの構成以外については、実施形態１に係るつけ爪１００と同様の構成を有するため、実施形態１に係るつけ爪１００が有する効果のうち該当する効果を有する。
【００８８】
以上、本発明のつけ爪を上記の各実施形態に基づいて説明したが、本発明は、これに限定されるものではなく、その要旨を逸脱しない範囲において実施することが可能であり、例えば、次のような変形も可能である。
【００８９】
（１）上記各実施形態においては、レンズ部の表面に撥水処理を施しているが、本発明はこれに限定されるものではない。例えば、レンズ部の表面に親水処理を施すこともできる。この場合には、つけ爪に水が付着してもすぐに表面全体に拡がるため、水が付着することによって視認性が劣化することを抑制することが可能となる。
【００９０】
（２）上記各実施形態においては、レンズ部の表面に、減反射処理、ハードコーティング及び撥水処理を施しているが、本発明はこれに限定されるものではない。例えば、レンズ部の裏面に、減反射処理、ハードコーティング及び撥水処理を施すこともできる。また、レンズ部の表面に、減反射処理、ハードコーティング及び撥水処理を施さないようにすることもできる。
【００９１】
（３）上記実施形態４においては、レンズ部４２０に宝石４３８を埋め込んでいるが、本発明はこれに限定されるものではない。例えば、装着部４１０に宝石を埋め込むこともできる。また、レンズ部４２０に宝石を埋め込まないようにすることもできる。また、レンズ部４２０に宝石以外の装飾部材（例えばガラス玉）を埋め込むこともできる。
【００９２】
（４）上記各実施形態においては、装着部及び／又はレンズ部には特に色つけ処理が施されていないが、本発明はこれに限定されるものではない。例えば、装着部及び／又はレンズ部に色つけ処理が施されていてもよい。
【００９３】
（５）本発明のつけ爪においては、装着部は、つけ爪を爪に装着するための薄肉装着領域を有するものであれば、その形状は特に問わず種々の形状のものを用いることができる。
【００９４】
（６）本発明のつけ爪においては、レンズ部は、レンズ効果を得ることのできる領域が広いものであれば、その形状は特に問わず種々の形状のものを用いることができる。例えば、先端が丸い形状を有するレンズ部を用いることもできるし、先端が略四角形や略三角形の形状を有するレンズ部を用いることもできる。なお、レンズ部に角部が存在する場合には、その角部を削ったり磨いたりすることにより、例えばクリスタルカット模様のような模様を付けることもできる。
【図面の簡単な説明】
【００９５】
【図１】実施形態１に係るつけ爪１００を説明するために示す図である。
【図２】実施形態１に係るつけ爪１００の製造方法を説明するために示す図である。
【図３】実施形態２に係るつけ爪２００を説明するために示す図である。
【図４】実施形態２に係るつけ爪２００の製造方法を説明するために示す図である。
【図５】実施形態３に係るつけ爪３００を説明するために示す図である。
【図６】実施形態３に係るつけ爪３００の製造方法を説明するために示す図である。
【図７】実施形態４に係るつけ爪４００を説明するために示す図である。
【図８】実施形態４に係るつけ爪４００の製造方法を説明するために示す図である。
【図９】実施形態５に係るつけ爪５００を説明するために示す図である。
【図１０】実施形態５に係るつけ爪５００の製造方法を説明するために示す図である。
【図１１】特許文献１に記載されたつけ爪８００を説明するために示す図である。
【図１２】特許文献２に記載されたつけ爪９００を説明するために示す図である。
【符号の説明】
【００９６】
１００，２００，３００，４００，５００，８００，９００…つけ爪、１１０，２１０，３１０，４１０，５１０…装着部、１１０ａ，２１０ａ，４１０ａ，５１０ａ…装着部の表面、１１０ｂ，２１０ｂ，４１０ｂ，５１０ｂ…装着部の裏面、１１２，２１２，３１２，４１２，５１２…薄肉装着領域、１２０，２２０，３２０，４２０，５２０…レンズ部、１２０ａ，２２０ａ，４２０ａ，５２０ａ…レンズ部の表面、１２０ｂ，２２０ｂ，４２０ｂ，５２０ｂ…レンズ部の裏面、１２２，２２２，３２２，４２２，５２２…凸レンズ、１２４，２２４…段差部、１２６，２２６…先端部、１３０，２３０，３４０…メニスカスレンズ、１３２，２３２，３４２…所定領域、２２８…薄板接合部、３１４…第１対向面、３１６…第１孔、３２４…第２対向面、３２６…第２孔、３３０…コイルバネ、４１８…第１貫通孔、４２８…第２貫通孔、４３０…ボルト、４３２…ボルト本体、４３４，４３８…宝石、４３６…ナット、５３０…樹脂基板、８０２，８０４…絵図シート、９０２…孔、９０４…虫めがね、ｎ…爪、ｆ…指
【要約】
【課題】拡大レンズとして用いることが可能なつけ爪でありながら、つけ爪全体の厚みを従来よりも薄くすることが可能で、かつ、レンズ効果を得ることのできる領域を従来よりも広くすることが可能なつけ爪を提供する。
【解決手段】つけ爪を爪ｎに装着するための薄肉装着領域１１２を有する装着部１１０と、装着部１１０の先端側に位置し、ほぼ全領域が凸レンズ１２２からなるレンズ部１２０とを備える。装着部１１０とレンズ部１２０は、一体として形成され、装着部１１０の表面１１０ａとレンズ部１２０の表面１２０ａとは幾何学的に連続している。
【選択図】図１【図１】
0004113247.tif 000002
【図２】
0004113247.tif 000003
【図３】
0004113247.tif 000004
【図４】
0004113247.tif 000005
【図５】
0004113247.tif 000006
【図６】
0004113247.tif 000007
【図１０】
0004113247.tif 000008
【図１１】
0004113247.tif 000009
【図１２】
0004113247.tif 000010
【図７】
0004113247.tif 000011
【図８】
0004113247.tif 000012
【図９】
0004113247.tif 000013